(57)【要約】【課題】携帯電子機器用の電池式出力装置において、一次電池と二次電池で出力電流を自動で切替えることにより電池の特性を生かした電池式出力装置を提供する。【解決手段】携帯電子機器用の電池式出力装置において、電池接続部の電池電圧を所定の電圧と比較する電圧検出部と、電圧検出部からの入力を受け出力電流の設定を切り替える出力電流設定部と、携帯電子機器の出力電流を制御する出力電流制御部とを備え、電池が電池接続部に差し込まれたときの電圧により一次電池か二次電池かを判断し、それにより出力電流制御部から携帯電子機器へ出力する電流を切替えるようにした。【選択図】図１
2008220115.tif 000002
【特許請求の範囲】
【請求項１】
携帯電子機器への電池式出力装置であって、電池を接続する電池接続部と、
出力電流を制御する出力電流制御部と、
所定の電圧を検知する電圧検出部と、
前記電圧検出部の出力により出力電流を設定しかつ維持することができる出力電流設定部と、
出力を携帯電子機器に接続できる出力部とを備え、
電池を電池接続部に接続したときの電池の電圧が所定の電圧よりも高い場合は第一の電流を出力するように出力電流設定部で設定し、電池を電池接続部に接続したときの電池の電圧が所定の電圧よりも低い場合は、第一の電流よりも高い第二の電流を出力するように出力電流設定部で設定することを特徴とする携帯電子機器用の電池式出力装置。
【請求項２】
携帯電子機器への出力電流値を検出する出力電流検出部を設け、出力電流制御部は出力電流検出部の信号により出力電流設定部で設定された出力電流値を一定に保つことを特徴とする請求項１記載の携帯電子機器用の電池式出力装置。
【請求項３】
出力電流設定部での出力電流の設定が第一の電流か第二の電流かにより違う表示をする表示部を設けたことを特徴とする請求項１記載の携帯電子機器用の電池式出力装置。
【発明の詳細な説明】
【技術分野】
【０００１】
本発明は、携帯電話やオーディオプレーヤーなど内蔵リチウムイオン電池１セルで駆動する携帯電子機器に接続することで、携帯電子機器内のリチウムイオン電池を充電する充電装置や、内蔵リチウムイオン電池の代わりに携帯電子機器を駆動する電源となる電池式出力装置に関するものである。
【背景技術】
【０００２】
従来の携帯電子機器用の電池式出力装置は、単３サイズや単４サイズの電池を電源として動作するものが多く内部回路により２セルを直列接続して使用のもの、３セルを直列接続して使用のもの、４セルを直列接続して使用のものがあり、携帯電子機器が接続されると所定の電流を携帯電子機器に出力する。図２は従来の携帯電子機器用の電池式出力装置である乾電池式携帯型電話機用充電回路のブロック図である。図２において、乾電池部は機器で定められたサイズの電池を複数個接続でき、昇圧チョッパにより接続された乾電池の電圧を携帯電話機内蔵バッテリーを充電するために必要な電圧にし、任意で定められた電流値で接続された携帯電話機内のバッテリーに電流を供給する。なお、昇圧チョッパは接続できる電池のセル数により降圧回路になっているものもある（特許文献１参照）。
【特許文献１】特開２００５−８６９７５号公報
【発明の開示】
【発明が解決しようとする課題】
【０００３】
ところが、従来の携帯電子機器用の電池式出力装置では、電池接続部に同サイズの電池であれば公称電圧が１．５Ｖのアルカリ乾電池の一次電池および公称電圧が１．２Ｖのニッケル水素電池やニッケルカドミウム電池の二次電池の両方を接続できるにも拘らず、出力電流が機器により所定の値に定まっている。そのため一次電池よりも内部抵抗の低い二次電池用に出力電流を高く設定した場合、同サイズの一次電池を使用されると内部抵抗が高いため極端に電池電圧の低下が早く、特に携帯電子機器内のリチウムイオン電池への充電において十分充電できない問題がある。
【０００４】
また、二次電池よりも内部抵抗の高い一次電池用に出力電流を低く設定した場合、同サイズの二次電池を使用されると、本来高電流を出力できるにも拘らず充電電流が低いため、携帯電子機器内のリチウムイオン電池の充電に要する時間が長くなる問題がある。
【０００５】
本発明は、上記従来の問題点を鑑み、電池接続部に同サイズであればアルカリ乾電池の一次電池およびニッケル水素電池やニッケルカドミウム電池の二次電池のどちらでも接続できる電池式出力装置において、一次電池が使用されるときは第一の電流に、二次電池が使用されるときは第一の電流よりも高い第二の電流に出力を自動で切り替え、電池の特性に応じ効果的に充電することができる携帯電子機器用の電池式出力装置を提供することを課題とする。
【課題を解決するための手段】
【０００６】
本発明の携帯電子機器用の電池式出力装置は、電池を接続する電池接続部と、出力電流を制御する出力電流制御部と、所定の電圧を検知する電圧検出部と、前記電圧検出部の出力により出力電流を設定しかつ維持することができる出力電流設定部と、出力を携帯電子機器に接続できる出力部とを備え、電池を電池接続部に接続したときの電池の電圧が所定の電圧よりも高い場合は第一の電流を出力するように出力電流設定部で設定し、電池を電池接続部に接続したときの電池の電圧が所定の電圧よりも低い場合は、第一の電流よりも高い第二の電流を出力するように出力電流設定部で設定することを特徴とするものである
。
【発明の効果】
【０００７】
本発明の携帯電子機器用の電池式出力装置によれば、使用された電池がアルカリ乾電池の一次電池かニッケル水素電池やニッケルカドミウム電池の二次電池かを電池接続部に接続されたときに判別し、それぞれに合った出力電流に設定することにより、一次電池の場合はより一層出力容量を増加させることができ、また二次電池の場合は出力容量を確保しつつより一層高出力できる、一つの機器で一次電池と二次電池それぞれの特性に応じた効果的な電池式出力装置を提供できる。
【発明を実施するための最良の形態】
【０００８】
本発明において、携帯電子機器へ出力された電流を検出する出力電流検出部を設け、出力電流が出力電流設定部で設定した電流値以上に達すると出力電流制御部により携帯電子機器への電流供給を制御することで、電池電圧や負荷が変動しても携帯電子機器へ出力電流設定部で設定した電流を安定して出力することができる。
【０００９】
また、出力電流設定部で設定された第一の電流と第二の電流で違う表示をする表示部を設けることで、設定された出力電流値が一次電池の場合の第一の電流か、二次電池の場合の第二の電流かを表示することができ、使用者に第一の電流と第二の電流のどちらで出力しているかを認識させることができる。
【００１０】
以下、本発明の実施の形態について、図１を参照して説明する。図１は本発明の実施の形態における電池２セルの場合の携帯電子機器用の電池式出力装置のブロック図である。図１において、電池式出力装置１は電池２セルの電池式出力装置であり、電池接続部２は単１、単２、単３または単４の決まったサイズの電池を２セル直列接続でき、ＤＣ−ＤＣコンバータ３は電池接続部２の電圧を携帯電子機器１０内のリチウムイオン電池１１を充電するのに必要な電圧以上に制御する（本実施形態では５．０Ｖ）。また、電圧検出部４は電池接続部２に並列に接続され電池接続部２に電池が接続されたときの無負荷電圧が所定の電圧（本実施形態では３．０Ｖ）で、所定の電圧に対し高いか低いかを比較し、所定の電圧に対し高い場合は一次電池と判断し出力電流を第一の電流に設定するように出力電流設定部５に入力し、所定の電圧に対し低い場合は二次電池と判断し出力電流を第一の電流よりも高い第二の電流に設定するように出力電流設定部５に入力する。本実施の形態では２セルの場合だが、直列接続する電池のセル数が変わっても、一次電池か二次電池を判断する所定の電圧は、アルカリ乾電池の一次電池はかなり消耗していない限り１．５Ｖ以上の電圧があり、ニッケル水素電池やニッケルカドミウム電池の二次電池は満充電でも１．４５Ｖ以下であることから、１セルあたり１．５Ｖにすると好適である。出力電流制御部６はＤＣ−ＤＣコンバータ３と出力部７と直列に接続されＤＣ−ＤＣコンバータ３から出力部７への電流が出力電流設定部５で設定された第一の電流または第二の電流になるように制御する。本実施の形態では例えば第一の電流を０．２５Ａ、第二の電流を０．５Ａに設定すればよい。
【００１１】
出力電流設定部５は一度電圧検出部４からの入力により設定された出力電流値を維持する電流設定維持手段が設けられ、一度設定された出力電流値は出力電流設定部の回路が動作する電圧が供給されている限り電池接続部２の電池電圧が低下し電圧検出部４からの入力が変化しても維持される。
【００１２】
また、出力電流検出部８は出力部７と直列に接続され、出力部７から携帯電子機器１０内のリチウムイオン電池１１への電流を検出し、その検出した電流値を出力電流制御部６へ入力する。出力電流制御部６では、出力電流検出部８で検出した電流値が出力電流設定部５で設定された第一の電流値または第二の電流値を超えないように制御される。
【００１３】
また、表示部９は出力電流設定部５で設定された電流値が第一の電流のときはＬＥＤなどの表示手段をゆっくり点滅し、また第二の電流のときは早く点滅するなど違う表示を行っている。
【００１４】
以上の本実施の形態によれば、電池接続部２に電池が接続されたときの無負荷時の電池電圧でアルカリ乾電池の一次電池かニッケル水素電池やニッケルカドミウム電池の二次電池かを判別し、一次電池の場合は出力電流を低く設定することで、内部抵抗の高い一次電池でもより一層の出力容量を確保することができ、また二次電池の場合は出力電流を高く設定することで、より高出力をすることができ、１つの電池式出力装置で一次電池、二次電池それぞれの特性に見合った電池式出力装置を実現することができる。
【００１５】
また、出力電流検出部８で携帯電子機器１０内のリチウムイオン電池１１に流れる電流を検出し出力電流制御部６に入力することで、出力電流制御部６は出力電流設定部５で設定された出力電流値を超えないように制御するので、電池電圧や負荷状態が変化しても安定した出力電流を得ることができる。
【００１６】
また、一次電池の場合の第一の電流であるか二次電池の場合の第二の電流かを表示するので、使用者にどちらの状態で出力しているかを認識させることができる。
【産業上の利用可能性】
【００１７】
本発明の携帯電子機器用の電池式出力装置は、接続された電池が一次電池か二次電池かによって、それぞれの電池に合った出力電流に自動で設定することができ、１つの電池式出力装置で一次電池と二次電池のそれぞれの特性に応じ効果的に充電することができるため携帯電子機器用の電池式出力装置に有用である。
【図面の簡単な説明】
【００１８】
【図１】本発明の実施の形態における電池２セルの場合の携帯電子機器用の電池式出力装置のブロック図
【図２】従来の携帯電子機器用の電池式出力装置のブロック図
【符号の説明】
【００１９】
１  電池式出力装置
２  電池接続部
３  ＤＣ−ＤＣコンバータ
４  電圧検出部
５  出力電流設定部
６  出力電流制御部
７  携帯電子機器接続部
８  出力電流検出部
９  表示部
１０  携帯電子機器
１１  リチウムイオン電池
【図１】
2008220115.tif 000003
【図２】
2008220115.tif 000004